(57)【特許請求の範囲】
【請求項１】
搬送路によって搬送される紙葉類束を受け入れるために前記搬送路の途中に配置され前記搬送路と直行する開口部を有する箱体と、
この箱体の開口部が搬送路の上流側を向き搬送される紙葉類束を受け入れる第１の位置から開口部が下流側を向き受け入れた紙葉類束を前記搬送路に押し出し可能な第２の位置まで回動し、又は前記第２の位置から前記第１の位置まで逆回動する回動機構部と、
この回動機構部によって前記第１の位置によって搬送される紙葉類束を受け入れ、前記第２の位置まで回動することにより反転された前記紙葉類束の最上面の紙葉類が前記箱体の上部に貼り付いたとき、この貼り付いた紙葉類と接触する部分がバネ性を備えたく文字状板材で、かつ、その板材の先端が紙葉類束の搬送方向と反対側を向くように配置された押さえ板と、
この押さえ板を支持すると共に前記第２の位置にある箱体の中の紙葉類束の後端面を押し出す押出材と、
この押出材を取り付けた移動部材を前記紙葉類束の集積方向に移動する縦駆動手段と、
この縦移動手段を紙葉類束の搬送方向に移動する横移動手段と、
を備えたことを特徴とする紙葉類の反転移動装置。
【請求項２】
前記箱体は、前記第１の位置にあるとき、当該箱体の搬送面に平行な側面２面と、前記開口部と平行な底部の中央部を欠いたコ文字状側面２面を有し、この２面のコ文字状側面が一体となって箱体を形成したことを特徴とする請求項１記載の紙葉類の反転移動装置。
【請求項３】
前記縦駆動手段は、
前記押さえ板を支持する前記押出材を取り付けた前記移動部材を固定する移動片と、
この移動片を上下に駆動する駆動手段と、
前記紙葉類束を受け入れた前記箱体が前記第１の位置から前記第２の位置に回動したのち、前記駆動手段によって前記移動片を所定の位置まで降下する駆動制御を行う制御手段と、
を備え、この駆動手段によって下降した押さえ板が、前記紙葉類束の最上面に貼りついた紙葉類がある場合にはその紙葉類を剥離し、その剥離した紙葉類を当該紙葉類束の上に揃えることを特徴とする請求項１記載の紙葉類の反転移動装置。
【請求項４】
前記横移動手段は、
前記縦移動手段を移動可能に支持する支持部材と、
この支持部材を搬送方向に進退自在に駆動する駆動手段と、
前記縦移動手段によって下降した前記押出材が前記第２の位置にある箱体の中の前記紙葉類束の後端を前記搬方向に押し出す制御を行う制御手段と、
を備えたことを特徴とする請求項１乃至３記載の紙葉類の反転移動装置。
【発明の詳細な説明】
【技術分野】
【０００１】
本発明は、有価証券などの紙葉類を反転移動する紙葉類の反転移動装置に関し、特に集積された一塊の紙葉類を反転移動する紙葉類の反転移動装置に関する。
【背景技術】
【０００２】
有価証券などの紙葉類を処理する紙葉類処理装置は、一括して投入された一塊の紙葉類（以下、紙葉類束と称する。）から紙葉類を1枚ずつ取り出して搬送し、紙葉類検査装置によって当該紙葉類の品質（形状、損傷、印刷のかすれ及び汚れなど）を検査し、正常な券（以下、正紙と称する）、不良券（以下、損紙と称する）及び搬送異常券や２枚取り券などの排除券に区分処理する装置である。正紙は、１００枚毎に紙帯で結束されて把が形成され、必要に応じて１０把積み重ねてさらに紙帯で結束して束が形成される。
【０００３】
この種の紙葉類処理装置が上記紙葉類を発行する発行所で使用される場合には、紙葉類は新券であり、その記番号（発行番号）が連続した番号になっている。この紙葉類処理装置では、紙葉類の記番号が連番になっていることから紙葉類を１０００枚毎（以下、１０００枚束と称する。）にカセットに装填し、その装填したカセットを複数個紙葉類処理装置に装着して装置を稼動している。
【０００４】
このカセットに装填された１０００枚束は印刷直後の新券であり、装填された印刷方向が揃っていることから、紙葉類の模様などによる厚みに応じて変形した形状に貼りついていることが多く、紙葉類処理装置で取り出しにくいため１０００枚束の貼りつきを取り除く「さばき処理」をさばき装置で行う。このさばき処理を行うために、カセットに装填された１０００枚束を反転移動装置によって反転する。以下にその動作を説明する。
【０００５】
図６は反転移動装置の反転及び移動動作を説明する図である。;上記カセットに装填された１０００枚束は、反転箱７３０で一括して受け取られる（図６（１））。
【０００６】
次に反転箱７３０の最上面紙葉類Ｐｅが最下面に位置し、最下面の紙葉類Ｐｓが最上面に位置するように反転箱７３０を反転する（図６（２））。
【０００７】
上記反転した際、反転箱７３０の上部に紙葉類Ｐｓが静電気によって貼りつく場合があり、この貼り付いた紙葉類Ｐｓを剥離するため、押さえ板７００ａを取り付けた押さえ板移動部材７００ｃを下降する（図６（３））。
【０００８】
この結果、反転箱７３０の上部に貼りついた紙葉類Ｐｓが押さえ板７００ａにより剥離する。その後、さらに押さえ板７００ａが下降し、押さえ板７００ａが紙葉類Ｐｓを反転された他の紙葉類の最上部に重ねる。この際、押さえ板７００ａが他の紙葉類の上で紙葉類Ｐｓを押し出すことがあった（図６（４））。
【０００９】
以上のようにして反転された１０００枚束は、この反転箱７３０から送り出されて次の工程であるさばき装置に送られる（図６（５））。
【００１０】
さばき装置は、反転箱７３０によって反転されて送られた１０００枚束の上部中央部を折り曲げるように押圧して紙葉類をさばく。
【００１１】
このようにしてさばかれた１０００枚束は供給部に送られ取出部によって１枚ずつ取り出されて処理される。
【００１２】
以上に示す反転装置を用いて１０００枚束を反転する技術は従来から知られている（例えば、特許文献１参照。）。
【特許文献１】特開平７−１８７４５６号公報  （第１頁、図１）
【発明の開示】
【発明が解決しようとする課題】
【００１３】
しかしながら、従来技術に示す反転移動装置は、上述したように上記反転移動装置において、１０００枚束を反転した際、反転箱の上部に貼り付き、この貼りついた紙葉類を押さえ板で剥離し、剥離した紙葉類を他の紙葉類の最上部に重ねる際、押さえ板の押圧力によって紙葉類が前方に飛び出すことがあった（図５（４））。そのため、最上部の紙葉類が前方にずれてしまい次の処理に影響を与えるという課題があった。
【００１４】
本発明は、上記課題を解決するためになされたもので、反転移動装置によって１０００枚束を反転箱によって反転した際、反転箱に貼りついた紙葉類を押さえ板によって剥離しその他の紙葉類の最上部にずれずに重ねることのできる紙葉類の反転移動装置を提供することを目的とする。
【課題を解決するための手段】
【００１５】
上記目的を達成するために、本発明の請求項１記載の紙葉類処理装置は、搬送路によって搬送される紙葉類束を受け入れるために前記搬送路の途中に配置され前記搬送路と直行する開口部を有する箱体と、この箱体の開口部が搬送路の上流側を向き搬送される紙葉類束を受け入れる第１の位置から開口部が下流側を向き受け入れた紙葉類束を前記搬送路に押し出し可能な第２の位置まで回動し、又は前記第２の位置から前記第１の位置まで逆回動する回動機構部と、この回動機構部によって前記第１の位置によって搬送される紙葉類束を受け入れ、前記第２の位置まで回動することにより反転された前記紙葉類束の最上面の紙葉類が前記箱体の上部に貼り付いたとき、この貼り付いた紙葉類と接触する部分がバネ性を備えたく文字状板材で、かつ、その板材の先端が紙葉類束の搬送方向と反対側を向くように配置された押さえ板と、この押さえ板を支持すると共に前記第２の位置にある箱体の中の紙葉類束の後端面を押し出す押出材と、この押出材を取り付けた移動部材を前記紙葉類束の集積方向に移動する縦駆動手段と、この縦移動手段を紙葉類束の搬送方向に移動する横移動手段と、を備えたことを特徴とする。
【発明の効果】
【００１６】
本発明によれば、反転移動装置によって１０００枚束を反転箱によって反転した際、反転箱に貼りついた紙葉類を押さえ板によって剥離しその他の紙葉類の最上部にずれずに重ねることができる。
【発明を実施するための最良の形態】
【００１７】
以下、図面を参照して本発明の実施例を説明する。
【実施例】
【００１８】
図１は、本発明の実施例による反転移動装置７を搭載した紙葉類処理装置１００の概略構成図である。この紙葉類処理装置１００には、１０００枚束をカセットに装填し、その装填したカセット（図示しない）を複数個紙葉類処理装置に装着する。この装着されたカセットの中の１個のカセットの中の１０００枚束が、反転移動装置７に渡される（なお、詳細は後述する。）。
【００１９】
反転移動装置７は、受け取った１０００枚束を反転する。この反転装置７で反転された１０００枚束は、印刷直後の新券で同一券種であるため、貼りついた状態になっている場合がある。この状態を緩和するために１０００枚束はさばき装置８に送られる。
【００２０】
さばき装置８は、１０００枚束からなる紙葉類束の状態を保持しながら紙葉類の貼りつきを緩和するために１０００枚束の中央部を中心にして押圧しおりまげるようにしてさばく。このさばき装置８によって貼りついた状態の紙葉類がばらされる。このようにしてばらされた紙葉類Ｐは、取出装置１に供給される。
【００２１】
紙葉類処理装置１００には、取出装置１に供給された紙葉類Pを1枚ずつ取り出す取出装置１ｂが備えられている。この取出装置１ｂによって所定の間隔で1枚ずつ取り出された紙葉類Ｐを搬送する搬送路３、この搬送路３によって搬送された紙葉類Ｐの印刷状態を検査する紙葉類検査装置４、この紙葉類検査装置４による検査結果に基づいて当該紙葉類Ｐを集積する集積装置及びこの集積装置で集積された紙葉類Ｐを紙帯で結束する結束装置からなる集積・結束装置５、及び排除券を集積する排除券集積装置６が備えられている。
【００２２】
取出装置１には、１投入単位である例えば１０００枚の紙葉類Ｐを一括して供給する供給部１ａ、この供給部１ａ供給された紙葉類Ｐを一定の間隔で１枚ずつ取り出す取出部１ｂが備えられている。
【００２３】
搬送路３は、搬送面に沿って配置された搬送ローラ、この搬送ローラに掛けられた搬送ベルト及びこの搬送ローラを駆動する駆動手段で構成される。本実施例では、搬送される紙葉類Ｐが長手方向に搬送されるため、搬送方向と直行する方向に約１０ｍ幅の搬送ベルトが２本配置されている。この搬送ベルトの幅及び本数は、搬送される紙葉類Ｐの形状、及び長手搬送又は短手搬送などの搬送形態によって最適な値が設定される。また、新券（発行直後の新しい紙葉類）を処理する場合には、搬送される紙葉類が搬送ベルトによって汚される場合があるため、搬送ベルトの折り返し部分にはベルトクリーニング装置２０ａ〜２０ｆが配置される。
【００２４】
紙葉類検査装置４は、搬送される紙葉類Ｐの印刷状態を検査する装置である。この検査装置４による検査の結果、印刷状態が正常な紙葉類Ｐは正紙と判断され、検査の結果印刷状態に異常がある券は損紙と判別され、搬送異常券、２枚取り券など検査不能券は排除券と判別される。排除券は、分岐ゲートＧ１によって右側に分岐され、搬送路３ａによって排除券集積装置６に集積される。
【００２５】
なお、本実施例のように紙葉類処理装置１００が新券を処理する場合には、紙葉類Ｐの記番号（発行番号）が連番になっている正紙で占められるため、集積・結束装置５は正紙用集積装置５１、５２で構成され、損紙用集積装置は備えられていない場合を示したが、集積・結束装置５の一部を損紙用集積装置とし、搬送異常券、２枚取り券など検査不能券を排除券集積装置６に集積するように設定することが可能なのは当然である。
【００２６】
図２は、反転移動装置７の機構部である。反転移動装置７は、押さえ板７０ａを縦に移動動する縦移動機構部７１、この縦移動機構部７１を搬送方向である横に移動する横移動機構部７２及び反転箱部７３を備えている。また、縦移動機構部７１及び横移動機構部７２が移動機構部本体７４に組み込まれている。
【００２７】
縦移動機構部７１は、移動部（移動部材）７０及びこの移動部７０を上下に移動する縦移動手段を備えている。
【００２８】
移動部７０は、移動部材７０ｃ、この移動部材７０ｃの下端部に設けられた押出材７０ｂ及びこの押出材７０ｂに取り付けられた本実施例の押さえ板７０ａを備え、アーム状に形成されている。この移動部材７０ｃの上部は、縦移動機構部７１によって移動される移動片７１ａに取り付けられており、この移動片７１ａが上下移動することによって移動部材７０ｃが上下に縦移動する。
【００２９】
押さえ板７０ａは、バネ性を備えたく文字状板材で、かつ、その板材の先端が紙葉類束の搬送方向と反対側を向くように配置されている。この押さえ板のバネ性は、静電気等で反転箱７３ａに貼り付いた紙葉類を剥離する際紙葉類に大きな力が加わらないように柔軟性をもたせる機能を有している。また、剥離した紙葉類を１０００枚束の最上部に集積するため押圧する機能を有している。さらに、紙葉類束である１０００枚束は券種、製造誤さなどによってその積載された厚さが異なるため、その厚さの変動を吸収する機能を有している。さらにまた、先端がく文字状であるために剥離した紙葉類を１０００枚束に集積する際、上記押圧力による飛び出しを防止する機能がある。
【００３０】
縦移動手段は、縦移動モータ７１ｂ、この縦移動モータ７１ｂの駆動力を伝達するプーリ及び移動ベルト７１ｅ、及びこの移動ベルト７１ｅの移動と共に移動する移動片７１ａを備えている。このような構成において、縦移動モータ７１ｄの駆動力は、同軸上に配置されたプーリ及びベルトを介して移動ベルト７１ｅが掛けまわされた上下のプーリ７１ｃ、７１ｄに伝達される。この上下のプーリ７１ｃ、７１ｄが回転することによって、移動ベルト７１ｅが上下に移動するとき、この移動片７１ａに取り付けられた移動部材７０ｃが上下に移動する。
【００３１】
横移動機構部７２は、上記縦移動機構部７１を横（搬送方向）に移動するレール７２ｄ、及びこのレール７２ｄに沿って縦移動機構部７１を移動する横移動手段を備えている。
【００３２】
横移動手段は、横移動モータ７２ａ、この横移動モータ７２ａの駆動力を伝達するプーリ、このプーリに掛けまわされた横移動ベルト７２ｂ及びこの横移動ベルト７２ｂに取り付けられた移動片７２ｃが備えられている。このような構成において、横移動モータ７２ａの駆動力は、同軸上に配置されたプーリに掛け回された横移動ベルト７２ｂに伝達される。この横移動ベルト７２ｂが横に移動することによって、この横移動ベルトに取り付けられた移動片７２ｃが移動する。進退自由に移動可能なレール７２ｄに取り付けられた移動片７２ｃに縦移動機構部７１が取り付けられている。また、この移動片７２ｃは上記横移動ベルト７２ｄに取り付けられており、横移動ベルト７２ｂが移動することにより縦移動機構部７１が横に移動する。
【００３３】
図３は、反転箱部７３を示す。この反転箱部７３は、反転箱７３ａ及びこの反転箱を１８０度回動する回動機構７３ｃを備えている。この図は、紙葉類束を受け入れる第１の位置である図３（１）に示す位置から開口部７３ｂが下流側を向き受け入れた紙葉類束を搬送路に押し出し可能な第２の位置である図３（２）に示す位置まで１８０度回動した状態を示している。図３（１）を右側に示し、図３（２）を左側に示してあるのは、図１に示した紙葉類処理装置１００による紙葉類束の搬送方向及びその処理の方向が右側から左側向かっているため、その方向に合わせて図示したためである。
【００３４】
反転箱７３ａは、箱体の搬送面に平行な側面２面と、開口部７３ｂと平行な底部の中央部を欠いたコ文字状側面２面を有し、この２面のコ文字状側面が一体となって形成されている。搬送面上の中央部が空洞になっている。このように構成した箱体により、空洞部分を移動部材７０ｃが進退自在に移動できる。また、上記カセットに収納された１０００枚束Ｓが図示矢印Ａ方向に搬送又は押し出されたことにより移動したものを一括して受け取ることができる、また、入口部（開口部）７３ｂから１０００枚束Ｓの収納及び排出が可能になる。
【００３５】
反転箱７３ａに１０００枚束Ｓが収納された際には、１０００枚束は紙葉類の表が上で正立した状態（表正方向）になっている。この状態を図３（１）に示す。次に、この１０００枚束Ｓは、回転機構部７３ｃによって図示矢印Ｂで示す方向に１８０度回動する。この状態を図３（２）に示す。この反転によって、１０００枚束の紙葉類の最上面の紙葉類が最下面に位置し、最下面の紙葉類が最上面に位置する。この結果図３（２）に示すように紙葉類の表裏も反転する。図３（２）には、この模様が反転した様子も示してある。上述した図２は、このようにして反転した反転箱７３ａの状態を示したものである。なお、この図２では、１０００枚束が左側から右側に搬送されるように図示してある。
【００３６】
図４は、図２に示す反転移動装置７の正面図で、１０００枚束の移動を説明する図である。ここでは、１０００枚束Ｓが反転された状態（図３（２）に示す状態）になっている。なお、図示した１０００枚束Ｓは上述した反転箱７３ａに収納された状態であるが、分かりやすくするため反転箱７３ａを図示していない。図３で示したように１０００枚束が反転されると、移動部材７０ｃが下降し、この移動部材に取り付けられた押さえ板７０ａが１０００枚束Ｓの最上部の紙葉類を押さえる。図４はこの状態を示す。
【００３７】
次に、横移動機構部７２が縦移動機構部７１を図示矢印Ｅ方向に移動することにより、移動部材７０ｃは図示矢印Ｄで示す方向に移動する。この移動に伴って、１０００枚束Ｓも図示矢印Ｄ方向に移動し、図１で示したさばき装置８に送られる。このさばき装置８の動作は本発明に主旨ではないのでその説明を省略する。
【００３８】
図５は、本発明の実施例による反転箱に貼りついた紙葉類を剥離しずらさずに集積する方法を説明する図である。図２に示す反転箱７３ａにより１０００枚束Ｓを反転したとき、反転箱７３ａに貼りついた紙葉類を剥離する方法を示す図である。
【００３９】
図５（１）は、反転箱７３ａによって１０００枚束Ｓが反転した際、反転箱７３ａの下部にあった１０００枚束の最下部の紙葉類Ｐｓが反転によって最上部に位置し、静電気などで反転箱７３ａに貼りついた状態を示す。この種の貼り付きは、処理される１０００枚束Ｓを構成する紙葉類が高速に印刷処理され搬送される途中印刷装置に滞留している静電気が搬送途中に帯電するものと考えられている。
【００４０】
図５（２）は、反転箱７３ａに貼りついた紙葉類Ｐｓを本発明の実施例の押さえ板７０ａによって剥離し、１０００枚束Ｓの最上部に集積するように押さえている状態を示す。この押さえ板７０ａは、紙葉類Ｐｓの上部を押さえる動作を行う際に、当該押さえ板７０ａによって、この押さえ板７０ａと接触している最上部の紙葉類Ｐｓに対して移動方向と逆方向の力Ｆが働くため、反転箱７３ａの奥側に押し付ける力が作用してズレを防止できる。
【００４１】
図５（３）は、図５（２）の１０００枚束Ｓを次の工程に送る状態を示す。ここでは、移動部材７０ｃが横移動機構部７２によって図示矢印Ｄ方向に移動し、１０００枚束を次の工程であるさばき装置８に送る。ここでは、移動部材７０ｃが取り付けられた縦移動機構部７１が横移動機構部７２によって図示矢印Ｄ方向に送られる。
【００４２】
上述したように本実施例によれば、貼り付いた紙葉類を剥離する押さえ板が、バネ性を備えたく文字状の板材で、かつ、その板材の先端が紙葉類束の搬送方向（移動方向）と反対側を向くように配置されているため紙葉類を剥離した際、剥離した紙葉類をずらさずに集積することができる。
【図面の簡単な説明】
【００４３】
【図１】本発明の実施例による反転移動装置を搭載した紙葉類処理装置の概略構成図。
【図２】図１に示す反転移動装置の機構部。
【図３】図２に示す反転移動装置を構成する反転箱部。
【図４】図２に示す反転移動装置の正面図で１０００枚束の移動を説明する図。
【図５】本発明の実施例による反転箱に貼りついた紙葉類を剥離しずらさずに集積する方法を説明する図。
【図６】従来の実施例。
【符号の説明】
【００４４】
Ｓ  １０００枚束
Ｐ  紙葉類
Ｇ１  分岐ゲート
１  取出装置
３  搬送路
４  紙葉類検査装置
４  施封部
５  集積・結束装置
６  排除券集積装置
７  反転移動装置
７０  移動部
７０ａ  押さえ板
７０ｂ  押出材
７０ｃ  移動部材
７１  縦移動機構部
７１ａ  移動片
７１ｂ  縦移動モータ
７１ｃ、７１ｄ  プーリ
７１ｅ  移動ベルト
７２  横移動機構部
７２ａ  横移動モータ
７２ｂ  横移動ベルト
７２ｃ  移動片
７２ｄ  レール
７３  反転箱部
７３ａ  反転箱
７３ｂ  入口部
７３ｃ  回動機構部
７４  移動機構部本体
【図１】
0004643483.tif 000002
【図２】
0004643483.tif 000003
【図３】
0004643483.tif 000004
【図４】
0004643483.tif 000005
【図５】
0004643483.tif 000006
【図６】
0004643483.tif 000007